(57)【要約】【課題】ユーザーが所望する幅の長く、しっかりとしたものであって、かつ、簡単に設置することができる卓上パーティションを提供する。【解決手段】卓上パーティション１００は、透明プレート部１１０と脚部１２０とを備えている。透明プレート部１１０が、透明プレート部１１０の幅方向Ｗおよび高さ方向Ｈに延設され、脚部１２０が、透明プレート部１１０と接触して透明プレート部１１０を支持し、透明プレート部１１０に対して係合部材（１３０）および被係合部材（１４０）により着脱自在に設けられている。係合部材（１３０）および被係合部材（１４０）が、透明プレート部１１０を複数重ねた状態で脚部１２０を取付自在である。脚部１２０が、複数の透明プレート部１１０の幅方向Ｗにおける側方を互いに重ねた状態で取り付けられることにより、複数の透明プレート部１１０が連結される。【選択図】図３
0003233788.tif 000002
【実用新案登録請求の範囲】
【請求項１】
透明プレート部と脚部とを備えた卓上パーティションであって、
前記透明プレート部が、透明プレート部の幅方向および高さ方向に延設され、
前記脚部が、前記透明プレート部と接触して透明プレート部を支持し、透明プレート部に対して係合部材および被係合部材により着脱自在に設けられ、
前記係合部材および被係合部材が、前記透明プレート部を複数重ねた状態で脚部を取付自在であり、
前記脚部が、複数の透明プレート部の幅方向における側方を互いに重ねた状態で取り付けられることにより、複数の透明プレート部が連結される構成であることを特徴とする卓上パーティション。
【請求項２】
前記脚部が、前記透明プレート部の幅方向における端部分より内側と接触して透明プレート部を支持することを特徴とする請求項１に記載の卓上パーティション。
【請求項３】
前記係合部材がつまみ付きネジであり、
前記被係合部材がつまみ付きナットであることを特徴とする請求項１または請求項２に記載の卓上パーティション。
【請求項４】
前記透明プレート部および脚部の少なくとも一方が、高さ方向に複数並んだ孔を有し、
前記係合部材および被係合部材の一方が、前記孔に挿通自在であり、挿通する孔を変更することにより、透明プレート部の高さおよび設置面と透明プレート部との間隔が変更自在な構成であることを特徴とする請求項１乃至請求項３のいずれか１つに記載の卓上パーティション。
【考案の詳細な説明】
【技術分野】
【０００１】
本考案は、透明プレート部と脚部とを備えた卓上パーティションに関する。
【背景技術】
【０００２】
従来、第１の態様として、仕切りパネルと、スタンドと、スタンド支持台とを備えたパーティションが知られている（例えば、特許文献１）。
また、第２の態様として、衝立パネルと、第１スタンドと、第２スタンドと、クランプ部とを備えた卓上パーティションが知られている（例えば、特許文献２）
【先行技術文献】
【特許文献】
【０００３】
【特許文献１】実登３２３２１８４号公報
【特許文献２】実登３２２９９８８号公報
【考案の概要】
【考案が解決しようとする課題】
【０００４】
しかしながら、上述した従来の第１の態様のパーティションは、スタンドに設けられたスリットに仕切りパネルを挿入し、さらに、スタンド支持台に設けられた長孔にスタンドの下部を挿入する構造であったため、パネルの幅方向において長くしたいというユーザーの要望に対応することが困難であるという問題があった。
また、上述した従来の第２の態様の卓上パーティションは、第１スタンドに設けられた第１溝に衝立パネルを差し込むとともに、第２スタンドに設けられた第２溝に衝立パネルを差し込み、さらに、第１スタンドに設けられたクランプ部を卓の天板に固定する構造であったため、パネルの幅方向において長くしたいというユーザーの要望に対応することが困難であるという問題があった。
【０００５】
そこで、本考案は、前述したような従来技術の問題を解決するものであって、すなわち、本考案の目的は、ユーザーが所望する幅の長く、しっかりとしたものであって、かつ、簡単に設置することができる卓上パーティションを提供することである。
【課題を解決するための手段】
【０００６】
本請求項１に係る考案は、透明プレート部と脚部とを備えた卓上パーティションであって、前記透明プレート部が、透明プレート部の幅方向および高さ方向に延設され、前記脚部が、前記透明プレート部と接触して透明プレート部を支持し、透明プレート部に対して係合部材および被係合部材により着脱自在に設けられ、前記係合部材および被係合部材が、前記透明プレート部を複数重ねた状態で脚部を取付自在であり、前記脚部が、複数の透明プレート部の幅方向における側方を互いに重ねた状態で取り付けられることにより、複数の透明プレート部が連結される構成であることにより、前述した課題を解決するものである。
【０００７】
本請求項２に係る考案は、請求項１に記載された卓上パーティションの構成に加えて、前記脚部が、前記透明プレート部の幅方向における端部分より内側と接触して透明プレート部を支持することにより、前述した課題をさらに解決するものである。
【０００８】
本請求項３に係る考案は、請求項１または請求項２に記載された卓上パーティションの構成に加えて、前記係合部材がつまみ付きネジであり、前記被係合部材がつまみ付きナットであることにより、前述した課題をさらに解決するものである。
【０００９】
本請求項４に係る考案は、請求項１乃至請求項３のいずれか１つに記載された卓上パーティションの構成に加えて、前記透明プレート部および脚部の少なくとも一方が、高さ方向に複数並んだ孔を有し、前記係合部材および被係合部材の一方が、前記孔に挿通自在であり、挿通する孔を変更することにより、透明プレート部の高さおよび設置面と透明プレート部との間隔が変更自在な構成であることにより、前述した課題をさらに解決するものである。
【考案の効果】
【００１０】
本考案の卓上パーティションは、透明プレート部と脚部とを備えていることにより、パーティションの一方側から他方側の様子が見えるようにするとともに、空間を仕切って飛沫がパーティションの一方側から他方側へ飛散することをブロックすることができるばかりでなく、以下のような特有の効果を奏することができる。
【００１１】
本請求項１に係る考案の卓上パーティションによれば、複数の透明プレート部の幅方向における側方が隙間無く重なる所謂、オーバーラップした状態となるため、ユーザーが所望する幅の長く、かつ、しっかりとした卓上パーティションを簡単に設置することができる。
【００１２】
本請求項２に係る考案の卓上パーティションによれば、請求項１に係る考案が奏する効果に加えて、平面視で卓上パーティションの延設方向が少々曲がっている場合であっても、重なった透明プレート部の一方である平面視湾曲した内側の透明プレート部における脚部より幅方向外側の端部分が撓んで、必ず隣り合う透明プレート部が面接触するため、連結した透明プレート部同士に隙間がなく卓上パーティションとして確実に機能することができる。
【００１３】
本請求項３に係る考案の卓上パーティションによれば、請求項１または請求項２に係る考案が奏する効果に加えて、ユーザーが手でつまみ付きネジのつまみおよびつまみ付きナットのつまみを摘まんで回すと回転力がつまみ付きネジおよびつまみ付きナットに伝達されるため、ユーザーは工具なしで脚部を透明プレート部に対して簡単に取り付け・取り外すことができる。
【００１４】
本請求項４に係る考案の卓上パーティションによれば、請求項１乃至請求項３のいずれか１つに係る考案が奏する効果に加えて、係合部材および被係合部材の一方を挿通させる孔を変えるだけで透明プレート部の高さおよび設置面と透明プレート部との間隔が変わるため、ユーザーが所望する高さの卓上パーティションを簡単に設置することができる。
【図面の簡単な説明】
【００１５】
【図１】本考案の実施例である卓上パーティションの概念を示す斜視図。
【図２】（Ａ）（Ｂ）は本考案の実施例である卓上パーティションを設置した様子を示す正面図および複数の卓上パーティションを並べて設置した様子を示す正面図。
【図３】（Ａ）（Ｂ）は本考案の実施例である卓上パーティションの透明プレート部を複数連結して設置した様子を示す正面図および平面図。
【図４】（Ａ）（Ｂ）は本考案の実施例である卓上パーティションの脚部において高さ方向に複数設けられた孔を示す正面図およびつまみ付きネジおよびつまみ付きナットを示す側面図。
【考案を実施するための形態】
【００１６】
本考案の卓上パーティションは、透明プレート部と脚部とを備え、透明プレート部が、透明プレート部の幅方向および高さ方向に延設され、脚部が、透明プレート部と接触して透明プレート部を支持し、透明プレート部に対して係合部材および被係合部材により着脱自在に設けられ、係合部材および被係合部材が、透明プレート部を複数重ねた状態で脚部を取付自在であり、脚部が、複数の透明プレート部の幅方向における側方を互いに重ねた状態で取り付けられることにより、複数の透明プレート部が連結される構成であることにより、ユーザーが所望する幅の長く、かつ、しっかりとした卓上パーティションを簡単に設置するものであれば、その具体的な実施態様は、如何なるものであっても構わない。
【００１７】
例えば、透明プレート部の材質は、アクリルなどの樹脂でもよいし、ガラスでもよい。
さらに、透明プレート部は、縁を含む全面が透明である必要はなく、縁を除く中央およびその近傍が透明であればよい。
また、透明プレート部は、完全なクリア色という意味で透明である必要はなく、若干青色の透明や、若干グレー色（所謂、スモーク色）の透明であってもよい。
さらに、脚部は、透明プレート部を支持することができればよく、脚部の材質は、アルミニウム合金などの金属や、プラスチックなどの樹脂でもよい。
【実施例】
【００１８】
以下に、本考案の実施例である卓上パーティション１００について、図１乃至図４（Ｂ）に基づいて説明する。
ここで、図１は、本考案の実施例である卓上パーティション１００の概念を示す斜視図であり、図２（Ａ）は、本考案の実施例である卓上パーティション１００を設置した様子を示す正面図であり、図２（Ｂ）は、本考案の実施例である複数の卓上パーティション１００を並べて設置した様子を示す正面図であり、図３（Ａ）は、本考案の実施例である卓上パーティション１００の透明プレート部１１０を複数連結して設置した様子を示す正面図であり、図３（Ｂ）は、図３（Ａ）に示す符号３Ｂから視た平面図であり、図４（Ａ）は、本考案の実施例である卓上パーティション１００の脚部１２０において高さ方向Ｈに複数設けられた孔１２１を示す正面図であり、図４（Ｂ）は、図４（Ａ）に示す符号４Ｂから視た本考案の実施例である卓上パーティション１００のつまみ付きネジ１３０およびつまみ付きナット１４０を示す側面図である。
【００１９】
本考案の実施例である卓上パーティション１００は、図１乃至図２（Ｂ）に示すように、透明プレート部１１０と脚部１２０とを備えている。
そして、透明プレート部１１０が、透明プレート部１１０の幅方向Ｗおよび高さ方向Ｈに延設されている。
透明プレート部１１０のサイズは、一例として、幅９００ｍｍ、高さ５８０ｍｍ、厚み２ｍｍ程度である。
幅６００ｍｍでもよいし、幅１２００ｍｍでもよい。
【００２０】
また、脚部１２０が、設置面Ｂ上において、一例として、透明プレート部１１０の幅方向Ｗにおける端部分１１１より内側と接触して透明プレート部１１０を支持しするように構成されている。
これにより、図２（Ｂ）に示すように、複数の卓上パーティション１００を幅方向Ｗに連続して並べた際、それぞれの透明プレート部１１０の端部分１１１が脚部１２０より透明プレート部１１０の幅方向Ｗ外側に突出しており、端部分１１１がほとんど隙間無く重なる所謂、オーバーラップした状態となる。
その結果、ユーザーが所望する幅の長い卓上パーティション１００を隙間無く簡単に設置することができる。
【００２１】
なお、脚部１２０は、一例として側視「Ｌ」字状に形成されたものを２つセットで透明プレート部１１０を厚み方向Ｔの両側から挟むようにして取り付けられる。
１つの脚部１２０のサイズは、一例として、透明プレート部１１０の厚み方向Ｔに１００ｍｍ、高さ２００ｍｍ程度である。
脚部１２０は、一枚の透明プレート部１１０に対して２セット〜４セット取り付けられて透明プレート部１１０を支持する。
【００２２】
さらに、本実施例では、脚部１２０が、透明プレート部１１０に対して係合部材および被係合部材により着脱自在に設けられている。
具体的に、係合部材は、一例として、つまみ付きネジ１３０である。
また、被係合部材は、一例として、つまみ付きナット１４０である。
なお、係合部材および被係合部材は、つまみ付きネジ１３０とつまみ付きナット１４０との組み合わせに限らない。ピンと、ピン留めとの組み合わせでもよい。
【００２３】
そして、図３（Ａ）に示すように、つまみ付きネジ１３０およびつまみ付きナット１４０が、透明プレート部１１０を複数重ねた状態で脚部１２０を取付自在である。
また、脚部１２０が、複数の透明プレート部１１０の幅方向Ｗにおける側方を互いに重ねた状態で取り付けられることにより、複数の透明プレート部１１０が連結されるように構成されている。
【００２４】
これにより、複数の透明プレート部１１０の幅方向Ｗにおける側方が隙間無く重なる所謂、オーバーラップした状態となる。
その結果、ユーザーが所望する幅の長く、かつ、しっかりとした卓上パーティション１００を簡単に設置することができる。
【００２５】
さらに、本実施例では、脚部１２０が、透明プレート部１１０の幅方向Ｗにおける端部分１１１より内側と接触して透明プレート部１１０を支持するように構成されている。
これにより、図３（Ｂ）に示すように、平面視で卓上パーティション１００の延設方向が少々曲がっている場合であっても、重なった透明プレート部１１０の一方である平面視湾曲した内側の透明プレート部１１０における脚部１２０より幅方向外側の端部分１１１が撓んで、必ず隣り合う透明プレート部１１０が面接触する。
その結果、連結した透明プレート部１１０同士に隙間がなく卓上パーティション１００として確実に機能することができる。
【００２６】
また、本実施例では、図４（Ａ）および図４（Ｂ）に示すように、係合部材がつまみ付きネジ１３０であり、被係合部材がつまみ付きナット１４０である。
これにより、ユーザーが手でつまみ付きネジ１３０のつまみおよびつまみ付きナット１４０のつまみを摘まんで回すと回転力がつまみ付きネジ１３０およびつまみ付きナット１４０に伝達される。
その結果、ユーザーは工具なしで脚部１２０を透明プレート部１１０に対して簡単に取り付け・取り外すことができる。
【００２７】
さらに、本実施例では、図４（Ａ）および図４（Ｂ）に示すように、透明プレート部１１０および脚部１２０の少なくとも一方が、高さ方向Ｈに複数並んだ孔１１２、１２１を有している。
より具体的には、透明プレート部１１０が、高さ方向Ｈに複数並んだ孔１１２を有している。
これと同様に、脚部１２０が、高さ方向Ｈに複数並んだ孔１２１を有している。
係合部材および被係合部材の一方としてのつまみ付きネジ１３０が、透明プレート部１１０の複数の孔１１２に挿通自在であり、脚部１２０の複数の孔１２１に挿通自在である。
【００２８】
そして、つまみ付きネジ１３０が挿通する孔１１２、１２１を変更することにより、透明プレート部１１０と脚部１２０との相対的な位置関係が変化する。
すると、透明プレート部１１０の高さおよび設置面Ｂと透明プレート部１１０との間隔が変更されるように構成されている。
これにより、係合部材および被係合部材の一方を挿通させる孔１１２、１２１を変えるだけで透明プレート部１１０の高さおよび設置面Ｂと透明プレート部１１０との間隔が変わる。
その結果、ユーザーが所望する高さの卓上パーティション１００を簡単に設置することができる。
【００２９】
なお、本実施例では、透明プレート部１１０に対する１セットの脚部１２０の取り付けにおいて、脚部１２０がしっかりと透明プレート部１１０を支持するように２セットのつまみ付きネジ１３０およびつまみ付きナット１４０を使用したが、つまみ付きネジ１３０およびつまみ付きナット１４０の数は、１セットでもよいし、３セット以上でもよい。
透明プレート部１１０において高さ方向Ｈに複数設けられた孔１１２の数、および、脚部１２０において高さ方向Ｈに複数設けられた孔１２１の数については、つまみ付きネジ１３０およびつまみ付きナット１４０の使用セット数と、透明プレート部１１０および脚部１２０の少なくとも一方において、高さ調整の変更可能な段階の数とが設けられていればよい。
【００３０】
このようにして得られた本考案の実施例である卓上パーティション１００は、透明プレート部１１０と脚部１２０とを備え、透明プレート部１１０が、透明プレート部１１０の幅方向Ｗおよび高さ方向Ｈに延設され、脚部１２０が、透明プレート部１１０と接触して透明プレート部１１０を支持し、脚部１２０が、透明プレート部１１０に対して係合部材（１３０）および被係合部材（１４０）により着脱自在に設けられ、係合部材（１３０）および被係合部材（１４０）が、透明プレート部１１０を複数重ねた状態で脚部１２０を取付自在であり、脚部１２０が、複数の透明プレート部１１０の幅方向Ｗにおける側方を互いに重ねた状態で取り付けられることにより、複数の透明プレート部１１０が連結される構成であることにより、ユーザーが所望する幅の長く、かつ、しっかりとした卓上パーティション１００を簡単に設置することができる。
【００３１】
さらに、脚部１２０が、透明プレート部１１０の幅方向Ｗにおける端部分１１１より内側と接触して透明プレート部１１０を支持した構成であることにより、平面視で卓上パーティション１００の延設方向が少々曲がっている場合であっても、連結した透明プレート部１１０同士に隙間がなく卓上パーティション１００として確実に機能することができる。
【００３２】
また、係合部材がつまみ付きネジ１３０であり、被係合部材がつまみ付きナット１４０であることにより、ユーザーは工具なしで脚部１２０を透明プレート部１１０に対して簡単に取り付け・取り外すことができる。
【００３３】
さらに、透明プレート部１１０および脚部１２０の少なくとも一方が、高さ方向Ｈに複数並んだ孔１１２、１２１を有し、係合部材の一例であるつまみ付きネジ１３０および被係合部材の一例であるつまみ付きナット１４０の一方が、孔１１２、１２１に挿通自在であり、挿通する孔１１２、１２１を変更することにより、透明プレート部１１０の高さおよび設置面Ｂと透明プレート部１１０との間隔が変更自在な構成であることにより、ユーザーが所望する高さの卓上パーティション１００を簡単に設置することができるなど、その効果は甚大である。
【符号の説明】
【００３４】
１００  ・・・  卓上パーティション
１１０  ・・・  透明プレート部
１１１  ・・・  端部分
１１２  ・・・  （透明プレート部の）孔
１２０  ・・・  脚部
１２１  ・・・  （脚部の）孔
１３０  ・・・  つまみ付きネジ（係合部材）
１４０  ・・・  つまみ付きナット（被係合部材）
Ｗ      ・・・  幅方向
Ｈ      ・・・  高さ方向
Ｔ      ・・・  厚み方向
Ｂ      ・・・  設置面
【図１】
0003233788.tif 000003
【図２】
0003233788.tif 000004
【図３】
0003233788.tif 000005
【図４】
0003233788.tif 000006